(57)【特許請求の範囲】
【請求項１】
原料を収容する原料容器と、冷水を収容する冷水タンクと、温水を収容する温水タンクと、原料と温水や冷水とを混合する混合容器と、冷水タンクの冷却用通路内の冷水を混合容器に供給する混合用冷水供給路と、温水タンクの温水を混合容器に供給する混合用温水供給路と、混合容器内の飲料を飲料容器に払い出す払出供給路と、計時用のタイマと、制御部と、を備え、
前記制御部は、温水を混ぜたホット飲料の前回の供給から今回の供給までの供給待機時間が、予め設定された判定用待機時間以内である場合には、原料を混ぜた温水と、冷水とを、混合容器または飲料容器に供給するように制御し、供給待機時間が前記判定用待機時間を越えた場合には、冷水を供給することなく、または冷水の量を減少させた状態で、原料を混ぜた温水を、混合容器または飲料容器に供給するように制御する
ことを特徴とする飲料供給装置。
【請求項２】
給湯経路や混合容器の温度、給湯経路や混合容器の近傍箇所の温度、および外気温度の少なくとも１つの温度を測定する温度検出手段を設け、
前記制御部は、供給待機時間と前記温度検出手段により測定した測定温度とに基づいて、前記供給待機時間が長いほど、また、測定温度が低いほど、冷水の供給量を減少させるように制御する
ことを特徴とする請求項１記載の飲料供給装置。
【請求項３】
給湯経路や混合容器の温度の少なくとも１つの温度を測定する温度検出手段を設け、
前記制御部は、前記温度検出手段により測定した測定温度に基づいて、測定温度が低いほど、冷水の供給量を減少させるように制御する
ことを特徴とする請求項１記載の飲料供給装置。
【請求項４】
前記制御部は、冷水を供給することなく、または冷水の量を減少させた状態で、原料を混ぜた温水を容器に供給する場合に、冷水の供給量に対応する温水を増加させて供給することを特徴とする請求項１〜３の何れか１項に記載の飲料供給装置。
【発明の詳細な説明】
【技術分野】
【０００１】
本発明は、原料を温水や冷水で希釈した飲料を飲料容器に供給する飲料供給装置に関する。
【背景技術】
【０００２】
原料を温水や冷水で希釈した飲料をカップなどの飲料容器に供給する飲料供給装置は特許文献１等にも開示されているように既に広く知られている。この種の飲料供給装置は、飲料の原料（粉末）を収容する原料容器と、冷水を収容する冷水タンクと、冷水タンク内の冷水により飲料用の水を冷却する冷却用通路と、温水を収容する温水タンクと、原料と温水や冷水とを混合する混合容器と、原料容器に収容された原料を混合容器内に送出する原料送出機と、冷水タンク内の冷水により冷却された冷却用通路内の冷水を混合容器に供給する混合用冷水供給路と、温水タンクの温水を混合容器に供給する混合用温水供給路と、混合容器内の飲料を飲料容器に払い出す払出供給路などを備えている。そして、例えば、ホットコーヒーなどのホット飲料を作成する場合には、混合容器にコーヒーの原料（粉末）を供給するとともに、混合容器に温水を供給して、混合容器内で撹拌するなどして原料と温水を混合して溶かした後、混合容器から飲料容器に飲料（ホットコーヒー）を払い出すよう構成している。
【０００３】
また、前記飲料供給装置でお茶（ホット飲料のお茶）を作成する場合には、一般的にお茶はコーヒーなどよりも比較的低い温度のものが好まれるので、混合容器にお茶の原料（粉末）を供給するとともに、混合容器に温水および冷水を供給して原料を溶かした後、混合容器から飲料容器にお茶を払い出すよう構成している。
【先行技術文献】
【特許文献】
【０００４】
【特許文献１】特開２００３−３１０４４１号公報
【発明の概要】
【発明が解決しようとする課題】
【０００５】
しかしながら、前記飲料供給装置が使用されている環境において、長時間、ホット飲料の供給（販売）が無いことがある。この場合には、混合用温水供給路や混合容器、払出ノズルなどの温水やホット飲料が通る箇所が冷えきっているため（特に冬季）に、上記のようにお茶（ホット飲料のお茶）を作成した場合に前記箇所（混合用温水供給路や混合容器、払出ノズルなど）を通過する間に、お茶の温度が大幅に低下してしまい、お茶のおいしさが半減してしまうという課題があった。
【０００６】
本発明は上記課題を解決するもので、長時間、ホット飲料の供給（販売）が無い場合でも、お茶などのホット飲料を良好な温度で供給（販売）することができる飲料供給装置を提供することを目的とするものである。
【課題を解決するための手段】
【０００７】
上記課題を解決するために、本発明の飲料供給装置は、原料を収容する原料容器と、冷水を収容する冷水タンクと、冷水タンク内の冷却用通路（冷水タンク内の冷水により飲料用の水を冷却する冷却用通路）と、温水を収容する温水タンクと、原料と温水や冷水とを混合する混合容器と、冷水タンクの冷却用通路（冷水タンク内の冷水により冷却された冷却用通路）内の冷水を混合容器に供給する混合用冷水供給路と、温水タンクの温水を混合容器に供給する混合用温水供給路と、混合容器内の飲料を飲料容器に払い出す払出供給路と、計時用のタイマと、制御部と、を備え、前記制御部は、温水を混ぜたホット飲料の前回の供給から今回の供給までの供給待機時間が、予め設定された判定用待機時間以内である場合には、原料を混ぜた温水と、冷水とを、混合容器または飲料容器に供給するように制御し、供給待機時間が前記判定用待機時間を越えた場合には、冷水を供給することなく、または冷水の量を減少させた状態で、原料を混ぜた温水を、混合容器または飲料容器に供給するように制御することを特徴とする。
【０００８】
この構成により、ホット飲料の前回の供給から今回の供給までの供給待機時間が、長い期間である場合（判定用待機時間を越えた場合）には、冷水を供給することなく、または冷水の量を減少させた状態で、原料を混ぜた温水が、混合容器または飲料容器に供給されるので、良好な温度で飲料容器に供給される。
【０００９】
また、本発明は、給湯経路や混合容器の近傍箇所の温度、および外気温度の少なくとも１つの温度を測定する温度検出手段を設け、前記制御部は、供給待機時間と前記温度検出手段により測定した測定温度とに基づいて、前記供給待機時間が長いほど、また、測定温度が低いほど、冷水の供給量を減少させるように制御することを特徴とする。
【００１０】
この構成により、供給待機時間が長い場合でも、給湯経路や混合容器の近傍の温度状態や外気の温度状態に応じて冷水の供給量が決定され、常に、良好な温度のホット飲料を供給可能となる。
【００１１】
また、本発明は、給湯経路や混合容器の温度の少なくとも１つの温度を測定する温度検出手段を設け、前記制御部は、前記温度検出手段により測定した測定温度に基づいて、測定温度が低いほど、冷水の供給量を減少させるように制御することを特徴とする。この構成により、給湯経路や混合容器の温度状態に応じて冷水の供給量が決定され、常に、良好な温度のホット飲料を供給可能となる。
【００１２】
また、前記制御部が、冷水を供給することなく、または冷水の量を減少させた状態で、原料を混ぜた温水を容器に供給する場合に、冷水の供給量に対応する温水を増加させて供給することが好ましく、この場合には、供給待機時間の長短にかかわらず、同じ量のホット飲料が供給される。
【発明の効果】
【００１３】
本発明によれば、制御部によって、供給待機時間が前記判定用待機時間を越えた場合には、冷水を供給することなく、または冷水の量を減少させた状態で、原料を混ぜた温水を、混合容器または飲料容器に供給するように制御することで、ホット飲料の供給待機時間が長い場合でも、ホット飲料を良好な温度で供給することが可能となり、冷えたお茶などのホット飲料などが供給されることが防止されて、信頼性が向上する。
【００１４】
また、給湯経路や混合容器の近傍箇所の温度、および外気温度の少なくとも１つの温度を測定する温度検出手段を設け、制御部により、供給待機時間と、前記温度検出手段により測定した測定温度に基づいて、前記供給待機時間が長いほど、また、測定温度が低いほど、冷水の供給量を減少させるよう制御することにより、供給待機時間だけでなく、給湯経路や混合容器の近傍の温度状態や外気の温度状態に応じて、良好な温度のホット飲料を供給できる。
【００１５】
また、給湯経路や混合容器の温度の少なくとも１つの温度を測定する温度検出手段を設け、制御部により、前記温度検出手段により測定した測定温度に基づいて、測定温度が低いほど、冷水の供給量を減少させるよう制御することにより、良好な温度のホット飲料を供給できる。
【００１６】
また、制御部により、冷水を供給することなく、または冷水の量を減少させた状態で、原料を混ぜた温水を容器に供給する場合に、冷水の供給量に対応する温水を増加させて供給することで、供給待機時間の長短にかかわらず、同じ量のホット飲料を供給できる。
【図面の簡単な説明】
【００１７】
【図１】本発明の実施の形態に係る飲料供給装置の全体斜視図である。
【図２】同飲料供給装置の要部正面図である。
【図３】同飲料供給装置の飲料供給回路などを示す図である。
【図４】同飲料供給装置のブロック図である。
【図５】同飲料供給装置の供給待機時間と冷水添加量との関係を示す図である。
【図６】本発明の他の実施の形態に係る飲料供給装置の飲料供給回路などを示す図である。
【図７】同飲料供給装置のブロック図である。
【図８】同飲料供給装置の供給待機時間と測定温度と冷水添加量との関係を示す図である。
【図９】本発明のその他の実施の形態に係る飲料供給装置の飲料供給回路などを示す図である。
【発明を実施するための形態】
【００１８】
以下、本発明の実施の形態に係る飲料供給装置を、図面に基づき説明する。なお、ここで示す実施の形態はあくまでも一例であって、必ずしもこの実施の形態に限定されるものではない。
【００１９】
図１、図２は本発明の実施の形態に係る飲料供給装置の全体斜視図および要部正面図である。これらの図に示すように、飲料供給装置１は、外殻を構成するケーシング２と、前面中央部にカップなどの飲料容器３が置かれる容器受け４ａが設けられた容器受け部４と、飲料の種類（銘柄）が表示される複数の飲料名表示部５と、飲料名表示部５に対応して設けられた選択押釦６と、温水の温度を示す温水温度表示部７、電源ランプ８などを有している。図１、図２に示す例では、供給飲料の銘柄としては、例えば、緑茶と抹茶とお湯と冷水との４種類が選択可能とされ、また、緑茶については暖かい緑茶と、冷たい緑茶との何れかを選択でき、また、抹茶についても暖かい抹茶と、冷たい抹茶との何れかを選択できる。なお、選択押釦４の横等には、選択押釦４に対応する飲料が供給可能であることを示す選択可ランプ９が設けられている。
【００２０】
図３は飲料供給装置の飲料供給回路を示す図である。この図３に簡略的に示すように、ケーシング２の内部には、飲料の原料（粉末）を収容するキャニスタとも称される原料容器１１と、冷水を収容する冷水タンク１２と、温水を収容する温水タンク１３と、原料と温水や冷水とを混合する混合容器１４と、冷水タンク１２内の冷水により飲料用の水を冷却する冷却用流路（冷却コイル）３６と、温水タンク１３内の水を温めるヒータ３７と、原料容器１１に収容された原料を混合容器１４内に送出するスクリュコンベヤならびにこのスクリュコンベヤを回転駆動する払出モータ１５ｂからなる原料送出機１５と、冷却用流路３６からの冷水を混合容器１４に供給する混合用冷水供給路１６および混合用冷水供給バルブ１７と、温水タンク１３からの温水を混合容器１４に供給する混合用温水供給路１８および混合用温水供給バルブ１９と、混合容器１４内の飲料を飲料容器３に払い出す払出供給路（払出ノズル）２０と、温水タンク１３からの温水を容器受け部４に置かれた飲料容器３に直接供給する容器用温水供給路２１および容器用温水供給バルブ２４と、冷却用流路３６からの冷水を容器受け部４に置かれた飲料容器３に直接供給する容器用冷水供給路２２および容器用冷水供給バルブ２５と、冷水タンク１２や温水タンク１３の水位や温度を監視する水位センサやタンク温度センサなどを備えている。
【００２１】
なお、この実施の形態では、原料容器１１、混合容器１４、原料送出機１５、混合用冷水供給路１６、混合用冷水供給バルブ１７、混合用温水供給路１８、混合用温水供給バルブ１９および払出供給路２０などからなる調理回路が２系統設けられている場合を図示しているが、これに限るものではなく、調理回路は１系統設けられていてもよいし、３系統以上設けられていてもよい。また、冷水タンク１２内の水は冷凍サイクルからなる冷却装置３４の熱交換器３４ａにより常温以下に冷却されている。また、図３における３５は、容器受け部４などを含めた排水をためる排水タンクである。
【００２２】
また、この実施の形態では、混合容器１４は、混合容器１４自体が回転自在に配設されており、１つの回転撹拌用モータ２３の駆動力がベルトなどの駆動力伝達手段を介して、複数の混合容器１４が回転されて、混合容器１４の内部に供給された原料と温水や冷水が混合され、回転動作が停止されることで、混合容器１４内の飲料が飲料容器３側に払い出されるよう構成されている。但し、当然ながら、１つの回転撹拌用モータ２３で１つの混合容器１４を回転動作させるように構成してもよい。また、混合容器１４の内部に撹拌用羽根などが配設されてそれぞれの原料や温水、冷水が撹拌、混合されるよう構成してもよい。
【００２３】
図４に示すように、飲料供給装置１には、温度管理、時間管理、選択押釦６の押圧動作管理、原料や温水、冷水の供給動作、混合容器１４の回転・停止動作など、各種の制御を行う制御部４０が設けられており、この制御部４０には、時間管理用のタイマ４１や各種データを記憶する記憶部４２なども設けられている。さらに、制御部４０の記憶部４２には、ホット飲料がしばらく販売されなかった場合に制御処理を変更する際に判定するための基準となる判定用待機時間（例えば１０時間）が記憶されている。また、制御部４０の記憶部４２には、ホット飲料である暖かい緑茶や暖かい抹茶、お湯を最後に販売した日時についてもそれぞれ記憶されている。
【００２４】
そして、制御部４０は、ホット飲料の販売指示（供給指示）があると、温水を混ぜたホット飲料の前回の供給から今回の供給までの供給待機時間が、予め設定された判定用待機時間以内である場合には、原料を混ぜた温水と、冷水とを、混合容器１４に供給するように制御し、供給待機時間が前記判定用待機時間を越えた場合には、冷水を供給することなく、原料を混ぜた温水を混合容器１４に供給するように制御する。
【００２５】
具体的には、制御部４０は、暖かい緑茶や暖かい抹茶、お湯の最後の販売日時をそれぞれ記憶部４２において記憶させており、例えば、暖かい緑茶の販売指示（供給指示）があると、図５に示すように、温水を混ぜたホット飲料（暖かい緑茶）の前回の供給から今回の供給までの供給待機時間が、予め設定された判定用待機時間（例えば１０時間）以内である場合には、温水を例えば９０ｃｃ、冷水を例えば２０ｃｃ供給するように制御する。一方、供給待機時間が、判定用待機時間（例えば１０時間）を越えた場合には、冷水を供給することなく、原料を混ぜた温水を、混合容器１４に供給するように制御する。なお、この場合には、供給しない冷水の供給量に対応する量だけ温水を増加させて供給する（例えば１１０ｃｃとする）ことが望ましい。
【００２６】
この構成により、ホット飲料の前回の供給から今回の供給までの供給待機時間が、判定用待機時間（例えば１０時間）を越えた場合でも、この場合には、冷水を供給することなく、原料を混ぜた温水が、混合容器または飲料容器に供給される。この結果、冷えたお茶などのホット飲料などが供給されることが防止されて、ホット飲料を良好な温度で供給することが可能となり、信頼性が向上する。また、極めて簡単な制御手法であるので、制御部４０のプログラム設定などを比較的容易かつ簡単に行うことができる利点もある。
【００２７】
また、上記のように、供給待機時間が判定用待機時間を越えて、冷水を供給しない場合に、前記冷水の供給量に対応する温水を増加させて供給すると、供給待機時間の長短にかかわらず、同じ量のホット飲料が供給されるので、より好ましい。しかしながら、冷水を供給しない場合でも、温水を増加させなくすることも可能である。この場合には、供給待機時間の長短に応じて、ホット飲料の量が変動する短所があるが、温水の供給量が一定であるので、制御が簡単になる利点がある。
【００２８】
なお、上記の実施の形態では、ホット飲料の供給待機時間が判定用待機時間を越えた場合には、冷水を全く供給しない場合を述べたが、これに限るものではなく、冷水の供給量を通常の場合（判定用待機時間以内である場合）よりも減少させてもよい（例えば１０ｃｃに減少させてもよい）。この場合に、冷水の減少量に対応する量の温水を増加させることが好ましいが、温水を増加させないことも可能である。
【００２９】
上記実施の形態では、混合用温水供給路１８や混合容器１４、払出供給路２０などの温度にかかわらず、供給待機時間だけに基づいて、冷水の供給を止めたり、冷水の供給量を減少させたりした場合を述べたが、これに限るものではない。例えば、図６、図７に簡略的に示すように、混合用温水供給路１８や混合容器１４、払出供給路２０が設けられている箇所の近傍箇所（すなわち、混合用温水供給路１８や混合容器１４、払出供給路２０が配設されている箇所）に、雰囲気温度を測定する温度検出手段としての温度センサ５０を設け、この温度センサ５０により測定した測定温度に基づいて、通常通り冷水を容器に供給したり(冷水供給モード)、冷水の供給量を減少させたり（冷水減量供給モード）、冷水を混合容器１４に供給しなかったり（冷水非供給モード）する（すなわち何れかのモードを選択する）。また、この場合には、測定温度が低いほど冷水の供給量を減少させる。さらに、供給待機時間が短い場合でも前記測定温度によって、測定温度が低いほど冷水の供給量自体が少なくなるように調整してもよい。すなわち、制御部４０は、供給待機時間が長いほど、また、測定温度が低いほど、冷水の供給量を減少させるよう制御する。
【００３０】
具体例を述べると、例えば、図８に示すような供給待機時間と測定温度と冷水添加量との関係を表わすデータベースを、制御部４０の記憶部４２に記憶させて制御する。また、判定用待機時間として、複数の判定用待機時間を設け、例えば、第１の判定用待機時間として５時間、第２の判定用待機時間として１０時間に設定する。そして、ホット飲料の供給待機時間が第１の判定用待機時間（５時間）以内である場合でも、冷水の供給量を、測定温度が５℃以下の場合には１０ｃｃ、測定温度が５℃〜１５℃の場合（５℃を越えて１５℃以下の場合）には１５ｃｃ、測定温度が１５℃〜２５℃の場合（１５℃を越えて２５℃以下の場合）には２０ｃｃ、測定温度が２５℃を越えた場合には２５ｃｃと調整し、温水の量を冷水と合わせて１１０ｃｃになるように調整する。
【００３１】
これに対して、ホット飲料の供給待機時間が、第１の判定用待機時間（５時間）を越えて第２の判定用待機時間（１０時間）以内である場合には、冷水の供給量を、測定温度が２５℃を越えた場合には２０ｃｃとし、測定温度が１５℃〜２５℃の場合には１５ｃｃとするが、測定温度が５℃〜１５℃の場合には１０ｃｃとし、測定温度が５℃以下の場合には冷水を供給しない。
【００３２】
また、ホット飲料の供給待機時間が、第２の判定用待機時間（１０時間）を越えている場合には、冷水の供給量を、測定温度が２５℃を越えた場合には１５ｃｃとし、測定温度が１５℃〜２５℃の場合には１０ｃｃとするが、測定温度が５℃〜１５℃の場合や５℃以下の場合には冷水を供給しない。
【００３３】
このように、混合用温水供給路１８や混合容器１４、払出供給路２０が設けられている箇所の近傍に温度検出手段としての温度センサ５０を設け、この温度センサ５０により測定した測定温度に基づいて、測定温度が低いほど冷水の供給量を減少させるように構成することで、飲料容器３に供給するお茶などのホット飲料の温度を適温に一定化させることができる。つまり、混合用温水供給路１８や混合容器１４、払出供給路２０の配設箇所の温度が低いとそれだけ、これらの箇所で温水や飲料の温度が低下する割合が多くなるが、上記構成によれば、このような不具合を防止して、ホット飲料の温度を適温に一定化させることができる。これにより、ホット飲料の供給待機時間が長い場合や、混合用温水供給路１８や混合容器１４、払出供給路２０の配設箇所の温度が低い場合でも、ホット飲料を極めて良好な温度で供給すること可能となり、信頼性が向上する。なお、この実施の形態では、供給待機時間と測定温度と冷水添加量との関係を表わすデータベースを用いて冷水添加量を決定した場合を述べたが、供給待機時間と測定温度と冷水添加量との関係を表わす式（供給待機時間が長いほど、また、測定温度が低いほど、冷水の供給量を減少させる式）を記憶して、この式から冷水添加量を決定してもよい。
【００３４】
なお、上記の実施の形態では、混合用温水供給路１８や混合容器１４、払出供給路２０が設けられている箇所の近傍（すなわち、混合用温水供給路１８や混合容器１４、払出供給路２０が配設されている箇所）に、雰囲気温度を測定する温度検出手段としての温度センサ５０を設け、この温度センサ５０により測定した測定温度に基づいて、冷水の供給量を調整した場合を述べたが、温度センサ５０を前記箇所に配設する代わりに、温度センサ５０を飲料供給装置１が配設されている箇所、すなわち外気温度を測定できる箇所に配設し、この温度センサ５０により測定した測定温度に基づいて、冷水の供給量を調整してもよい。
【００３５】
また、図９に簡略的に示すように、温度検出手段としての温度センサ５０を、給湯経路や混合容器１４の温度を測定できる箇所に配設してもよい。例えば、混合容器１４には、飲料を飲料容器３に供給する経路として払出供給路２０が接続され、この払出供給路２０には、先端の払出ノズルと混合容器１４との間の経路部分があるが、この箇所の一部に、熱伝導性の高い金属パイプを配設し、この金属パイプの温度を温度センサ５０で測定するように構成する。これにより、給湯経路のより正確な温度データを得て、この測定温度に基づいて、図８と類似するデータベースや計算式より、冷水の供給量を決定する。
【００３６】
このように、払出供給路２０が設けられている箇所に温度検出手段としての温度センサ５０を設け、この温度センサ５０により測定した測定温度が低いほど、冷水の供給量を減少させることによっても、飲料容器３に供給するお茶などのホット飲料の温度を極めて適温に一定化させることができる。また、待機時間の要素も加味することにより、さらに適温に一定化させることが出来る。これにより、ホット飲料の供給待機時間が長い場合や、混合用温水供給路１８や混合容器１４、払出供給路２０の配設箇所の温度が低い場合でも、ホット飲料を極めて良好な温度で供給することが可能となり、信頼性が向上する。なお、温度センサ５０を配設する箇所として、払出供給路２０に代えて、混合容器１４や混合用温水供給路１８の飲料が接触する面に熱伝導体を設けてこの熱伝導体に温度センサを取り付けてもよい。
【００３７】
なお、払出供給路２０が設けられている箇所などに温度検出手段としての温度センサ５０を設けた場合に、供給待機時間が短いにもかかわらず、払出供給路２０の配設箇所の温度が低いままである場合には、連続払出しにより温水タンクの湯水温度が低下したり、温水タンクの温度センサの故障などにより湯水温度が低下したりしているとみなして、飲料の供給（販売）自体を中止するよう構成してもよい。
【００３８】
また、上記実施の形態では、お茶などのホット飲料の場合に、冷水を混合容器１４に供給する構成の飲料供給装置である場合を述べたが、これに限るものではなく、お茶などのホット飲料の場合に、冷水を飲料容器３に供給する構成の飲料供給装置に対しても適用できることはもちろんである。また、飲料としてお湯が供給される場合にも適用可能であることも申すまでもない。
【００３９】
また、上記実施の形態では、供給飲料が緑茶と抹茶、お湯、お水の場合を述べたが、他の飲料も提供できる飲料供給装置においても、上記構成を適用可能であることはもちろんである。
【符号の説明】
【００４０】
１      飲料供給装置
１１    原料容器
１２    冷水タンク
１３    温水タンク
１４    混合容器
１５    原料送出機
１６    混合用冷水供給路
１７    混合用冷水供給バルブ
１８    混合用温水供給路（温水供給路）
１９    混合用温水供給バルブ
２０    払出ノズル
２１    容器用温水供給路（温水供給路）
２４    容器用温水供給バルブ
２２    容器用冷水供給路
２５    容器用冷水供給バルブ
４０    制御部
４２    記憶部
５０    温度センサ
【図１】
0005791551.tif 000002
【図２】
0005791551.tif 000003
【図３】
0005791551.tif 000004
【図４】
0005791551.tif 000005
【図５】
0005791551.tif 000006
【図６】
0005791551.tif 000007
【図７】
0005791551.tif 000008
【図８】
0005791551.tif 000009
【図９】
0005791551.tif 000010